(57)【要約】【課題】短時間の犯行であっても確実に証拠画像を残すことができる自動撮像カメラ装置を提供する。【解決手段】自動撮像カメラ装置１は、盗難防止を図る車載用オーディオシステムや電気機器、家具調度等の近傍に撮像部２を組み込んだケース６を設置し、ケーブルで接続された画像記憶部１１のスロット装置１４を、該ケース６と隔離した場所に外部から見えないように隠蔽して固定する。これにより、これらの電気機器や家具調度を無断で操作したり取り外したりする者がいれば、赤外線センサ７に検知されて撮像部２により連続的にその姿が撮像される。画像記憶部１１は撮像部２と信号ケーブル１２で接続するとともに、該撮像部２から隔離して外部から見えないように隠蔽して固定されているから、撮像部２を持ち去ったり破壊しても、画像記憶部１１の記憶内容が破壊されることがない。【選択図】図１
2005229196.tif 000002
【特許請求の範囲】
【請求項１】
電気機器や家具調度等の近傍に設置したストロボライトを備えた撮像部と、
同じく前記電気機器や家具調度等の近傍に設置した音、振動若しくは人体を検知するセンサと、
前記撮像部と信号ケーブルで接続するとともに、該撮像部から隔離して設置した画像記憶部と、
キー若しくはキーホルダからの発信電波に基づいて前記センサの検知作動開始及び検知作動停止を制御するとともに、該センサの検知信号により、前記撮像部と画像記憶部とを作動させて、該撮像部が連続的に撮像した画像を前記画像記憶部に順次記憶するように制御する制御部と、
から構成したことを特徴とする自動撮像カメラ装置。
【請求項２】
前記制御部は、前記画像記憶部の記憶量が所定の記憶容量を超えたとき、新たに前記撮像部が撮像する画像を、該画像記憶部に記憶されている過去の画像に対して記憶順に順次上書き記憶するように制御することを特徴とする請求項１に記載の自動撮像カメラ装置。
【請求項３】
前記画像記憶部は、撮像部から隔離するとともに外部から見えないように隠蔽して設置したことを特徴とする請求項１又は請求項２に記載の自動撮像カメラ装置。
【発明の詳細な説明】
【技術分野】
【０００１】
本発明は、電気機器や家具調度等の盗難状況を、確実に証拠写真として残すことができる自動撮像カメラ装置に関するものである。
【背景技術】
【０００２】
車上荒らしや車載用電気機器等の盗難を防止する監視、警告システムには、検知センサが音や振動や人体を検知すると赤色灯やヘッドライトが点滅したり、警報や警笛を鳴らしたりするもの、或いは電波や電話等により監視者に報知したり、警備会社へ連絡したりするものがある。
【０００３】
しかしながら、上記監視、警告システムでは、短時間に犯行が行われてしまう場合には対応が手遅れとなって、犯人を捕らえたりすることはできなかった。
【特許文献１】無し
【発明の開示】
【発明が解決しようとする課題】
【０００４】
本発明は上記に鑑みてなされたもので、短時間の犯行であっても確実に証拠画像を残すことができる自動撮像カメラ装置を提供することを目的とするものである。
【課題を解決するための手段】
【０００５】
上記課題を解決するための請求項1に記載の自動撮像カメラ装置は、電気機器や家具調度等の近傍に設置したストロボライトを備えた撮像部と、同じく前記電気機器や家具調度等の近傍に設置した音、振動若しくは人体を検知するセンサと、前記撮像部と信号ケーブルで接続するとともに、該撮像部から隔離して設置した画像記憶部と、キー若しくはキーホルダからの発信電波に基づいて前記センサの検知作動開始及び検知作動停止を制御するとともに、該センサの検知信号により、前記撮像部と画像記憶部とを作動させて、該撮像部が連続的に撮像した画像を前記画像記憶部に順次記憶するように制御する制御部と、から構成したことを特徴とする。
【０００６】
請求項２に記載の自動撮像カメラ装置は、請求項１に記載の構成において、前記制御部は、前記画像記憶部の記憶量が所定の記憶容量を超えたとき、新たに前記撮像部が撮像する画像を、該画像記憶部に記憶されている過去の画像に対して記憶順に順次上書き記憶するように制御することを特徴とする。
【０００７】
また、請求項３に記載の自動撮像カメラ装置は、請求項１又は請求項２に記載の構成において、前記画像記憶部は、撮像部から隔離するとともに外部から見えないように隠蔽して設置したことを特徴とする。
【発明の効果】
【０００８】
請求項１に記載した自動撮像カメラ装置によれば、キー若しくはキーホルダからの発信電波に基づいて検知作動を開始したセンサが、音、振動若しくは人体を検知すると、その検知信号により撮像部と画像記憶部が作動し、ストロボの発光とともに該撮像部が連続的に撮像した画像を画像記憶部に順次記憶する。撮像部及びセンサは、電気機器や家具調度等の近傍に設置されているから、これらを無断で操作したり、取り外したりする者がいれば連続的にその姿が撮像される。この場合、ストロボライトの連続的発光が警告となって、犯行を未然に防止することもできる。
【０００９】
また、画像記憶部は撮像部と信号ケーブルで接続するとともに、該撮像部から隔離して設置されているから、撮像部だけを取り外して持ち去ったり破壊したりしても、画像記憶部の記憶内容が破壊されることがない。従って、短時間の犯行であっても確実に証拠画像を残すことができる。所有者自身が使用する場合は、キー若しくはキーホルダからの発信電波に基づいてセンサの検知作動を停止させることができる。
【００１０】
請求項２に記載した自動撮像カメラ装置によれば、画像記憶部の記憶量が所定の記憶容量を超えたとき、新たに撮像部が撮像する画像は、該画像記憶部に記憶されている過去の画像に対して記憶順に順次上書き記憶されるから、最新の撮像画像を確保でき監視カメラ装置として有用性が高まる。
【００１１】
また、請求項３に記載した自動撮像カメラ装置によれば、画像記憶部は、撮像部から隔離するとともに外部から見えないように隠蔽して設置したから、自動撮像カメラ装置の設置に気づいた場合にも、画像記憶部を探し出して取り外したり破壊したりすることを防止できる。
【発明を実施するための最良の形態】
【００１２】
短時間の犯行であっても確実に証拠画像を残すことができる自動撮像カメラ装置を提供するという目的を、ストロボを備えた撮像部及びセンサを、電気機器や家具調度等の近傍に設置するとともに、画像記憶部を撮像部と信号ケーブルで接続して該撮像部から隔離して設置し、音、振動若しくは人体を検知するセンサの検知信号により、撮像部と画像記憶部を作動させる構成とすることにより実現した。
【実施例】
【００１３】
本発明の実施例について添付図面を参照して説明する。図１は、実施例に係る自動撮像カメラ装置１の概略構成図である。自動撮像カメラ装置１の基本的構成は、デジタルカメラの撮像部２と画像記憶部１１とを分離して信号ケーブル１２で接続したものである。撮像部２は、ＣＣＤ撮像素子基板３、広角レンズ４、ストロボライト５等からなり、ケース６内にＣＣＤ撮像素子基板３が組み込まれ、ケース前面６ａに広角レンズ４及びストロボライト５が装着されている。また、ケース前面６ａには、赤外線センサ７、時間、年月日等を表示する液晶表示部８及び操作ボタン９，１０が装着されている。画像記憶部１１は、ＳＤメモリカード１３と該ＳＤメモリカード１３を装着するスロット装置１４とから構成されている。赤外線センサ７に代えて、音や振動を検出するセンサを用いることもできる。
【００１４】
さらに、ケース６内には、基板にＣＰＵ、プログラムＲＯＭ、通信インターフェース、受信アンテナ等（何れも図示しない）を実装した制御回路１５が組み込まれている。制御回路１５は、操作ボタン９，１０の操作或いは後述するキー若しくはキーホルダからの発信電波に基づいて起動し、前記赤外線センサ７の検知作動開始及び検知作動停止を制御するとともに、所定の制御プログラムに基づいて前記撮像部２の撮像処理と画像記憶部１１の画像記憶処理等を制御する。
【００１５】
制御回路１５が赤外線センサ７の検知信号を入力すると、該制御回路１５の制御信号により、前記撮像部２と画像記憶部１１とが作動して、撮像部２の撮像タイミングに合わせてストロボライト５が発光するとともに、該撮像部２が連続的に撮像した画像を、画像記憶部１１のＳＤメモリカード１３に順次取り込んで記憶する。このとき、液晶表示部８に表示された時間、年月日も撮像画像とともに、ＳＤメモリカード１３に取り込んで記憶する。
【００１６】
さらに、制御回路１５は、画像記憶部１１のＳＤメモリカード１３の記憶量が所定の記憶容量を超えたときには、新たに撮像部２が撮像する画像を、該ＳＤメモリカード１３に記憶されている過去の画像に対して記憶順に順次上書き記憶するように制御する。制御回路１５を起動させるための電波は、キー若しくはキーホルダ１６に組み込まれた電波発信回路１７により発信される。この電波発信回路１７と制御回路１５の受信アンテナ部とが所定距離離れると、赤外線センサ７の検知作動を開始するように、また、両者が所定距離に接近したときは、赤外線センサ７の検知作動を停止するように設定されている。
【００１７】
上記自動撮像カメラ装置１の電源としては、車室内に設置するときにはシガレットプラグ１８から充電できるようにしたバッテリ１９を用いる。また、自動撮像カメラ装置１を住宅の室内に設置するときは、ＡＣ電源をＡＣ／ＤＣコンバータ２０を介して充電できるバッテリ１９を用いる。
【００１８】
上記構成の自動撮像カメラ装置１は、盗難防止を図る車載用オーディオシステムや住宅の電気機器、家具調度等の近傍に撮像部２を組み込んだケース６を設置し、信号ケーブル１２で接続された画像記憶部１１のスロット装置１４を、該ケース６と隔離した場所に外部から見えないように隠蔽してネジ等により強固に固定する。これらの電気機器や家具調度を無断で操作したり取り外したりする者がいれば、赤外線センサ７に検知されて撮像部２により連続的にその姿が撮像される。そして、ストロボライト５の連続的発光が警告となって犯行を未然に防止することもできる。
【００１９】
上記画像記憶部１１は撮像部２と信号ケーブル１２で接続するとともに、該撮像部２から隔離して外部から見えないように隠蔽してネジ等により強固に固定されているから、ストロボ発光により自動撮像カメラ装置１の設置に気づいた場合にも、画像記憶部１１を探し出して取り外したり破壊したりすることを防止できる。また、撮像部２だけを取り外して持ち去ったり破壊しても、画像記憶部１１の記憶内容が破壊されることがないから、短時間の犯行であっても確実に証拠画像を残すことができる。所有者自身が使用する場合は、電波発信回路１７と制御回路１５の受信アンテナ部とが接近するから、赤外線センサ７の検知作動が停止して、自動撮像カメラ装置１は作動することがない。
【００２０】
さらに、画像記憶部１１のＳＤメモリカード１３の記憶量が所定の記憶容量を超えたときには、新たに撮像部２が撮像する画像を、該ＳＤメモリカード１３に記憶されている過去の画像に対して記憶順に順次上書き記憶するから、最新の撮像画像を確保でき監視カメラ装置として有用性が高まる。そして、ストロボライト５の連続的発光だけで、警告音やサイレン等の大容量の音を発生しないから、近所迷惑となることもない。キー若しくはキーホルダ１６の電波発信回路１７用電池の電池切れは、所有者自身が使用する際ストロボライト５が発光することにより知ることができ、電池交換を忘れてしまうことがない。
【図面の簡単な説明】
【００２１】
【図１】実施例に係る自動撮像カメラ装置の概略構成図である。
【符号の説明】
【００２２】
１  自動撮像カメラ装置
２  撮像部
３  ＣＣＤ撮像素子基板
５  ストロボライト
７  赤外線センサ
１１  画像記憶部
１２  信号ケーブル
１５  制御回路
１６  キーホルダ
１７  電波発信回路
【図１】
2005229196.tif 000003